(57)【要約】      （修正有）【課題】譜面台、書見台などの用紙を立てかけて使用する載置面の大きさは限定的で、楽譜などがはみ出して垂れ気味になる事がある。演奏者は、はみ出して斜めになった譜面を、首を傾げながら目で追わなくてはならない時や、垂れた部分の重みで用紙が落下しないように気配りをしなければならない事もある。【解決手段】既存の譜面台に重ねて載置することにより、その傾きを利用して譜面台をワイドに使えるようにする。筒状にしたシートを二重三重に重ねて入れ子にした伸縮自在の譜面支持具である。譜面台載置用譜面支持具は水平方向へ引き延ばすことができ、折りたたみ式にある垂直線も無く、繋ぎ目５は、シートが重なり合い強化されているので安定する。また長さは任意に調整して使用でき、収納もワンタッチで大きさを縮小できる。【選択図】図３
2016083331.tif 000002
【特許請求の範囲】
【請求項１】
筒状になったシートを複数枚を順次差し込んで、入れ子にした伸縮自在の平板台紙である。
【請求項２】
重ねたシートの輪の一方の端末を一挙に曲げることにより、既存の譜面台に安定的に載り、かつその上に載せる薄い楽譜などの用紙を載せる底辺となる。
【請求項３】
シートの材質は問わない。
【発明の詳細な説明】
【技術分野】
【０００１】  本発明は既存の譜面台の狭さを補うための、長尺な楽譜を安定して載せることに関する。
【背景技術】
【０００２】  譜面台は大きさは限定であり、これを解消するために、新たに延長用支えを伸ばす装置や、レールを敷く方法が考案されている。また楽譜を縮小コピーに仕立て直し、全体を短くする事もあるが、音符も小さくなってしまい、非常に見づらい。
【先行技術文献】
【特許文献】
【０００３】
【特許文献１】特許公開２０１４−１６２２２７
【特許文献２】特許公開２０１４−１１７３１６
【発明の概要】
【課題解決しようとする課題】
【０００４】  既存の譜面台にＡ３サイズを横長に２枚以上、安定して載せる台紙を欲する楽器演奏者は多い。先行技術では新しく製造する方法も多く、すでに使用されている譜面台は対象外である。新たに製作する場合にしても、大型化、重量化することになったり、製造が煩雑でコストも掛かることになる。
【０００５】  本発明は、以上のような従来の欠点に鑑み、既存の譜面台の傾斜を利用して、重ねて置くことで、軽くてワイドに広がる、のびる譜面台を提供することを目的としている。
【課題を解決するための手段】
【０００６】  上記課題を解決するための本発明は、薄い硬質系のシートを筒状にして、同心円を描くように、二重三重と重ねて、入れ子にした物を押しつぶして平板を作る。重なったシートを順次引き出すことは自在で、任意の長さに調節できる平板台紙を作成する。
【０００７】  また、この平板台紙の一端を折ることで底面とし、楽譜設置を安定なものとする。
【発明の効果】
【０００８】  以上の説明から明らかなように本発明にあっては次に列挙する効果が得られる。
（１）（［請求項１］の構成要件）とで構成されていて、製造が単純であるのでコストが掛からない。従来の懸案となっているレール敷設も問題とならない。また自在に台紙を伸縮でき、楽譜に書き込みする時の下敷き代わりともなる。
【０００９】  普通考えられる折りたたみ式では、垂直線があるので、長尺になるとたわんで、浮かび上がることもあるが、本件発明では繋ぎ目５は重なり合い、折れることはない。
【００１０】  また、収納時、両手でワンタッチですぼめられ、コンパクトになる。
【００１１】  （２）（［請求項２］の構成要件）とで構成されることで、楽譜などの薄い紙片も落下の不安も無く、楽器演奏者の精神的な負担も減じる効果がある。
【００１２】  （３）（［請求項３］の構成要件）を構成されることで、全体の軽量は必須であるが、材質は、シート状になるものなら、合成樹脂をはじめ、金属、木材、皮革など、安価から高価のものまで意のままに適応できる。サイズも自在である。
【図面の簡単な説明】
【００１３】
【図１】重ねた筒状のシートを軽く押しつぶした図である。
【図２】請求項２の、のびる譜面台の斜視図である。また、短く使用するときや、収納する時の図でもある。
【図３】のびる譜面台の最大伸張した全体構成図である。
【図４】既存の譜面台に、のびる譜面台を重ねて置いた図である。
【発明を実施するための形態】
【００１４】  以下、本発明をの実施形態を図１〜図４に基づいて説明する。
【実施例１】
【００１５】  図１は硬質シートを輪にし，筒状にした物。１枚、２枚、３枚と必要に応じて、同心円を描くように、順に入れ子にする。これがのびる譜面台本体となる。これをつぶして平板にする。
【実施例２】
【００１６】  図２は図１の平板にした物の、輪になっている一辺を内側に２ｃｍ程入った所を９０度曲げた状態である。譜面を立て掛けたときに、底面となる。また、図３の本発明の、のびる譜面台の拡張時から、両端を手で、すぼめた時の図でもある。収納もこの形となる。【００１７】  図３は１，２，３の筒状シートを重なりを残して、引き出して伸ばしたものである。この状態でも、全部引出しきらず、残って重なり合う部分の繋ぎ目５が最低でも四重のシートで構成されているので、折れ曲がることは皆無である。【００１８】  図４は演奏者が使用する時の使用例である。筒状シートを重ねる枚数にもよるが、大きくワイドにできる。
【符号の説明】
【００１９】  １，２，３  は重ねる筒状シート
４  は底面を構成するための折線
５  はシートを曳きだし切らずに残した部分、繋ぎ目。
【図１】
2016083331.tif 000003
【図２】
2016083331.tif 000004
【図３】
2016083331.tif 000005
【図４】
2016083331.tif 000006
【手続補正書】
【提出日】平成27年2月23日(2015.2.23)
【手続補正１】
【補正対象書類名】明細書
【補正対象項目名】全文
【補正方法】変更
【補正の内容】
【発明の詳細な説明】
【技術分野】
【０００１】 本発明は既存の譜面台の載置面の狭さを補うための、長尺な楽譜を安定して載せることに関する。
【背景技術】
【０００２】  譜面台は載置面は限定であり、これを解消するために、新たに延長用支えを延ばす装置や、面積を広げるためにレールを敷く方法が考案されている。また楽譜を縮小コピーに仕立て直し、全体を短くすることもあるが、音符も小さくなってしまい、非常に見づらい。 
【先行技術文献】
【特許文献】
【０００３】
【特許文献１】特許公開２０１４−１６２２２７
【特許文献２】特許公開２０１４−１１７３１６
【特許文献３】特許公開２００３−５２６１１５
【発明の概要】
【発明が解決しようとする課題】
【０００４】  こ既存の譜面台にＡ３サイズの用紙を横長に２枚以上、安定して載置できることを欲する楽器演奏者は多い。しかし譜面台の載置面積は不可変なことが多く、長尺の譜面は、はみ出して垂れることもある。先行技術で新しく譜面台を製造する方法もあるが、すでに使用されている譜面台は対象外である。また新規製造する譜面台は載置面積を広げるために大型化、重量化することになったり、製造が煩雑でコストも掛かることになる。【０００５】  本発明は,以上のような従来の欠点に鑑み、既存の譜面台の傾斜を利用して、重ねて載置することで、軽くてワイドに広がる、譜面台載置用譜面支持具を提供することを目的としている。        
【課題を解決するための手段】
【０００６】  上記課題を解決するための本発明は、薄い硬質系のシートを筒状にして、同心円を描くように,二重三重と重ねて、入れ子にしたシートを押し潰して平板状にする。この重なったシートを順次引き出すことは自在で、任意の長さに調節できる譜面支持平板台紙を製作する。【０００７】  また、この譜面支持平板台紙の一端を折り曲げることで底面を創製し、既存の譜面台に安定して載置できるようになり、楽譜も安定して載置できるようになる。
【発明の効果】
【０００８】  以上の説明から明らかのように本発明にあっては次に列挙する効果が得られる。（１）（請求項１の構成要件）とで構成されていて、構造が単純であるため、製造が簡単でコストも掛からない。また本件発明の台紙の伸縮と共に底面も延びるので、従来の懸案となっているレール敷設も問題とならない。また本体台紙が楽譜に書き込みする時の下敷き代わりともなる。                                                                  【０００９】 一般的に考案されるている折りたたみ式台紙では、折り線としての垂直線があるので、長尺になると、たわんで、折り目が浮かび上がることもあり、垂直線が脆弱となることもあるが、本件発明の譜面台載置用譜面支持具では、繋ぎ目５が重なり合い強化されているので、折れることはない。                                                        【００１０】また、収納時、両手でワンタッチですぼめられ、図２の大きさまでコンパクトにできる。【００１１】（２）（請求項２の構成要件）とで構成されることで、楽譜などの薄い紙片も落下の不安も無く、楽器演奏者の精神的な負担も減じる効果がある。【００１２】（３）全体の軽量は必須であるが、材質はシート状になるものなら、合成樹脂をはじめ、金属、木材、皮革など、安価から高価のものまで意のままに適応できる。サイズも自在である。                                                                           
【図面の簡単な説明】
【００１３】
【図１】重ねた筒状のシートを軽く押しつぶした図である。
【図２】請求項２の、譜面台載置用譜面支持具の斜視図である。また、コンパクトに使用するときや、収納する時の図でもある。
【図３】譜面台載置用譜面支持具の最大伸張した全体構成図である。
【図４】既存の譜面台に、図３を重ねて載置して使用する図である。
【発明を実施するための形態】
【００１４】  以下、本発明をの実施形態を図１〜図４に基づいて説明する。
【００１５】  図１は少しずつ短く裁断した硬質系のシートを、１枚ごと貼り合わせて筒状にしたものである。シート１，２，３、すなわち１＞２＞３の大きさのシートを同心円を描くように、順に入れ子にする。これが譜面台載置用譜面支持具本体となる。これを押しつぶして平板状にする。  
【００１６】図２は図１を完全に平板状にしたシートの、輪になっている一端を内側に２ｃｍ程入った所を９０度曲げた請求項２状態である。これが楽譜紙面を受ける底面となる。また図３の本発明の譜面台載置用譜面支持具の拡張時から短く使用する場合に、両端を手で、すぼめた時の図でもある。収納もこの形となる。
【００１７】  図３は図２の底面を創製したものを、シートの重なりを残して引き出したものである。この状態は符号５の部分が繋ぎ目となって重なり合い、強化されているので、折りたたみ式のように折れ曲がることはない。 
【００１８】  図４は演奏者の使用例である。筒状のシートを重ねる枚数にもよるが、ワイドにできる。しかしながら、この状態からでも両手でワンタッチですぼめられ、図２の大きさになる。 
【符号の説明】
【００１９】  １，２，３  は重ねる筒状のシートを平板状にしたもので、１＞２＞３の大きさである。  ４  は底面を構成するための折線。  ５  はシートを引き出し切らずに残した部分、繋ぎ目。                            
【手続補正２】
【補正対象書類名】特許請求の範囲
【補正対象項目名】全文
【補正方法】変更
【補正の内容】
【特許請求の範囲】
【請求項１】
順次小さくした筒状のシートを差し込んで重ねて、入れ子にして、これらを平板状にした譜面台載置用譜面支持具。
【請求項２】
前記の譜面台載置用譜面支持具の、一端を一挙に折り曲げることにより、底面を創製したことを特徴とする請求項１記載の譜面台載置用譜面支持具。
【手続補正書】
【提出日】平成27年5月21日(2015.5.21)
【手続補正１】
【補正対象書類名】明細書
【補正対象項目名】全文
【補正方法】変更
【補正の内容】
【発明の詳細な説明】
【技術分野】
【０００１】
本発明は既存の譜面台の載置面の狭さを補うための、長尺な楽譜を安定して載せることに関する。
【背景技術】
【０００２】
譜面台は大きさは限定であり、これを解消するために、新たに延長用支えを延ばす装置や、レールを敷く方法が考案されている。また楽譜を縮小コピーに仕立て直し、全体を短くする事もあるが、音符も小さくなってしまい、非常に見づらい。
【先行技術文献】
【特許文献】
【０００３】
【特許文献１】特許公開２０１４−１６２２２７
【特許文献２】特許公開２０１４−１１７３１６
【特許文献３】特許公開２００３−５２６１１５
【発明の概要】
【発明が解決しようとする課題】
【０００４】
既存の譜面台にＡ３サイズの用紙を横長に２枚以上、安定して載置できることを欲する楽器演奏者は多い。先行技術では新しく譜面台を製造する方法も多く、すでに使用されている譜面台は対象外である。新たに製作する場合にしても、大型化、重量化することになったり、製造が煩雑でコストも掛かることになる。
【０００５】
本発明は、以上の従来の欠点に鑑み、既存の譜面台の傾斜を利用して重ねて載置することで、軽くてワイドに広がる、譜面台載置用譜面支持具を提供することを目的としている。
【課題を解決するための手段】
【０００６】
上記課題を解決するための本発明は、薄い硬質系のシートを筒状にして、同心円を描くように、二重三重と重ねて、入れ子にしたシートを押しつぶして平板状にする。重なったシートを順次引き出すことは自在で、任意の長さに調節できる平板台紙を作成する。
【０００７】
また、この平板台紙の一端を折り曲げることで底面とし、既存の譜面台に安定して載置できるようになり、楽譜設置を安定なものとする。
【発明の効果】
【０００８】
以上の説明から明らかなように本発明にあっては次に列挙する効果が得られる。
（１）（請求項１の構成要件）とで構成されていて、構造が単純であるため、製造が簡単でコストが掛からない。従来の懸案となっているレール敷設も問題とならない。また本体台紙が楽譜に書き込みする時の下敷き代りともなる。                         
【０００９】
一般的に考案されている折りたたみ式では、垂直線があるので、長尺になると、たわんで、折り目が浮かび上がることもあるが、本件発明では継ぎ目５は重なり合い、浮かび上がったり折れたりしない。                                                        
【００１０】
また、収納時、両手でワンタッチですぼめられ、図２の大きさまでコンパクトにできる。
【００１１】
（２）（請求項２の構成要件）とで構成されることで、楽譜などの薄い紙片の楽譜も落下の不安も無く、楽器演奏者の精神的な負担も減じる効果がある。                
【００１２】
また全体の軽量は必須であるが、材質はシート状になるものなら、合成樹脂をはじめ、金属、木材、皮革など、安価から高価のものまで意のままに適応できる。サイズも自在である。                                                                          
【図面の簡単な説明】
【００１３】
【図１】重ねた筒状のシートを軽く押しつぶした図である。
【図２】請求項２の、譜面台載置用譜面支持具の斜視図である。また、コンパクトに使用するときや、収納する時の図でもある。
【図３】譜面台載置用譜面支持具の最大伸張した全体構成図である。
【図４】既存の譜面台に、譜面台載置用譜面支持具を重ねて置いた図である。
【発明を実施するための形態】
【００１４】
以下、本発明の実施形態を図１〜図４に基づいて説明する。
【００１５】
図１は硬質系シートを１枚ごと貼り合わせて筒状にした物である。シート１、２、３と必要に応じて同心円を描くように、順に入れ子にする。これが譜面台載置用譜面支持具本体となる。これを押しつぶして平板状にする。    
【００１６】
図２は図１の平板状にしたシートの、輪になっている一端を内側に２ｃｍ程入った所で９０度曲げた状態である。譜面を立て掛けたときに、底面となる。またこの図は、図３の本発明の、譜面台載置用譜面支持具の拡張時から短く使用する場合に、両端を手で、すぼめた時の図でもある。収納もこの形となる。                                        
【００１７】
図３は１，２，３のシートの重なりを残して、引き出して伸ばしたものである。残した部分、符号５が繋ぎ目となって重なり合い、強化されているので、折りたたみ式のように折れ曲がることはない。      
【００１８】
図４は演奏者の使用例である。筒状のシートを重ねる枚数にもよるが、ワイドにできる。しかしながら、この状態からでも両手でワンタッチですぼめられ、図２の大きさになる。
【符号の説明】
【００１９】
１，２，３  は重ねる筒状のシート                                          
４  は底面を構成するための折線    
５  はシートを引き出し切らずに残した部分、繋ぎ目
【手続補正２】
【補正対象書類名】特許請求の範囲
【補正対象項目名】請求項２
【補正方法】変更
【補正の内容】
【請求項２】
前記の譜面台載置用譜面支持具の重ねたシートの輪の一方の端末を一挙に折り曲げることにより、既存の譜面台に安定的に載り、かつその上に薄い楽譜などの用紙を載せる底面となるようにしたことを特徴とする請求項１に記載の譜面台載置用譜面支持具。
【手続補正書】
【提出日】平成27年8月30日(2015.8.30)
【手続補正１】
【補正対象書類名】特許請求の範囲
【補正対象項目名】全文
【補正方法】変更
【補正の内容】
【特許請求の範囲】
【請求項１】
複数の筒状のシートからなる譜面台載置用譜面支持具であって、前記複数の筒状のシートは順次小さくなる大きさを有し、大きなものほど外側となるよう入れ子の構造とされ、平板状に構成されていることを特徴とする譜面台載置用譜面支持具。
【請求項２】
前記複数の筒状のシートの輪になっている一端が、末端から所定の長さで内側に折り曲げられた状態となっていることにより、既存の譜面台に安定的に載り、かつその上に薄い楽譜などの用紙を載せる底面となるようにしたことを特徴とする請求項１に記載の譜面台載置用譜面支持具。